(57)【特許請求の範囲】
【請求項１】
ハウジングと、
このハウジングに対しこのハウジングより引き出し可能に納められる第一可動体と、
この第一可動体に対しこの第一可動体より引き出し可能に納められる第二可動体とを備えており、
第一可動体は、この第一可動体をハウジングから引き出し切った位置においてハウジングの第一被掛合部に掛合する第一掛合部を備えており、
第二可動体は、この第二可動体を第一可動体から引き出し切った位置において第一可動体の第二被掛合部に掛合する第二掛合部と、引き出し操作部とを備えており、
第一掛合部と第一被掛合部との前記掛合は、第一可動体に作用される押し込み力により解除されると共に、
第二掛合部と第二被掛合部との前記掛合は、第二可動体に作用される押し込み力により解除される構成となっており、
しかも、ハウジング及び第一可動体の双方又はいずれか一方には、前記引き出し操作部を通じた引き出し操作により第二可動体が引き出し切られるまでの間においてハウジングからの第一可動体の引き出しを阻止する大きさの摩擦力又は掛合力をハウジングと第一可動体との間に作用させる連れ移動阻止手段が備えられていると共に、
第一掛合部と第一被掛合部との前記掛合の解除に必要となる押し込み力よりも第二掛合部と第二被掛合部との前記掛合の解除に必要となる押し込み力の方が大きくなるようにしてあることを特徴とする抽斗装置。
【請求項２】
第二掛合部が、第二可動体の移動方向に沿って配される弾性腕と、この弾性腕における第二可動体の前方に向けられた側に形成された掛合頭部とを備えて構成されていると共に、
第二被掛合部が、第二可動体の引き出しに伴なって第二掛合部を構成する掛合頭部に突き当たって弾性腕を側方に一旦弾性変形させると共に、第二可動体を引き出し切った位置でこの弾性腕の弾発を許容して前記掛合頭部に掛合される被掛合突部により構成してあることを特徴とする請求項１記載の抽斗装置。
【発明の詳細な説明】
【０００１】
【発明の属する技術分野】
この発明は、自動車のインストルメントパネルや、センターコンソールなどに、これらから引き出し可能に納められて、引き出し状態において、飲料容器や各種の物品などを保持したり、この引き出し状態において保持させた物品などを、インストルメントパネルなど内への押し込みによって、このインストルメントパネルなどの内方に収納させたりする用途に用いられる抽斗装置の改良に関する。
【０００２】
【従来の技術】
自動車のインストルメントパネルなどにこれらから引き出し可能に取り付けられる抽斗装置が汎用されている。
【０００３】
かかる装置は、インストルメントパネルなどの内方に納まった状態で取り付けられるハウジングと、このハウジングに対しこのハウジングより引き出し可能に納められる可動体（つまり、抽斗体）とを有している。
【０００４】
かかる可動体には、必要に応じて、所望の形状、構造を備えた収納部が形成される。
【０００５】
かかる可動体には、例えば、飲料容器を上方から入れ込むことによって、この飲料容器を起立状態に保持するカップホルダーとなる収納部や、アッシュトレイとなる収納部、アッシュトレイを取り外し可能に納める収納部、小物類を納める収納部などが、形成される。
【０００６】
【発明が解決しようとする課題】
しかるに、この種の装置においては、前記可動体の引き出し量、つまり、可動体を引き出し切った状態でのハウジングからの可動体の突き出し量を大きくしようとすればするほど、この可動体を引き出し可能に納めるハウジングの大型化を招くこととなる。
【０００７】
可動体の引き出し量を大きくさせれば、前記収納部を大きくしたり、可動体に複数種類の収納部を設けることができるなどのメリットをもたらす。
【０００８】
しかし、これに伴って生じるハウジングの大型化は、このハウジングの取り付けのために必要となる空間を、前記インストルメントパネルなどの内方により大きく必要とさせるデメリットをもたらす。
【０００９】
可動体を二つに分割し、押し込み時には一方の可動体の内部に他方の可動体が納まるようにすれば、二つの可動体を引き出し切った状態での可動体全体の前記突き出し量を大きくしながら、ハウジングの前後の大きさを小さくまとめることが可能となる。
【００１０】
しかし、単純に可動体を二つに分割しただけでは、これらの可動体の動作に規則性をもたせることができない。すなわち、二つの可動体の一方がハウジングから引き出し切られ、かつ、二つの可動体の他方がこの一方の可動体から引き出し切られた最大引き出し状態を必要としない場合、つまり、他方の可動体は一方の可動体から引き出されているが、この一方の可動体はハウジングから引き出されず、他方の可動体のみがインストルメントパネルなどから突き出されている状態を、二つの可動体の双方がハウジングに押し込まれている状態からのこの他方の可動体の引き出し操作によって、また、前記最大引き出し状態からのこの他方の可動体の押し込み操作によって、確実に作り出すことができない。
【００１１】
そこでこの発明は、この種の抽斗装置の可動体を前記のように二つに分割しながら、このように分割された可動体の他方に対してなされる単純な引き出し操作あるいは押し込み操作をもって、これらの可動体が規則的に移動されるようにすることを主たる目的とする。
【００１２】
【課題を解決するための手段】
前記目的を達成するために、請求項１記載の発明にあっては、車両用収納装置が、以下の（１）〜（９）の構成を備えたものとした。
（１）ハウジングと、
（２）このハウジングに対しこのハウジングより引き出し可能に納められる第一可動体と、
（３）この第一可動体に対しこの第一可動体より引き出し可能に納められる第二可動体とを備えており、
（４）第一可動体は、この第一可動体をハウジングから引き出し切った位置においてハウジングの第一被掛合部に掛合する第一掛合部を備えており、
（５）第二可動体は、この第二可動体を第一可動体から引き出し切った位置において第一可動体の第二被掛合部に掛合する第二掛合部と、引き出し操作部とを備えており、
（６）第一掛合部と第一被掛合部との前記掛合は、第一可動体に作用される押し込み力により解除されると共に、
（７）第二掛合部と第二被掛合部との前記掛合は、第二可動体に作用される押し込み力により解除される構成となっており、
（８）しかも、ハウジング及び第一可動体の双方又はいずれか一方には、前記引き出し操作部を通じた引き出し操作により第二可動体が引き出し切られるまでの間においてハウジングからの第一可動体の引き出しを阻止する大きさの摩擦力又は掛合力をハウジングと第一可動体との間に作用させる連れ移動阻止手段が備えられていると共に、
（９）第一掛合部と第一被掛合部との前記掛合の解除に必要となる押し込み力よりも第二掛合部と第二被掛合部との前記掛合の解除に必要となる押し込み力の方が大きくなるようにしてある。
【００１３】
かかる構成によれば、第一可動体と第二可動体とが共にハウジングに収納された状態（以下、完全収納状態という。）からの最初の引き出し操作によって第一可動体がハウジングから引き出されず、かつ、第二可動体がハウジングから引き出された状態（以下、中間引き出し状態という。）にすることができると共に、ハウジングから第二可動体が引き出されさらにハウジングから第一可動体が引き出された状態（以下、最終引き出し状態という。）からの最初の押し込み操作によって第一可動体はハウジングに納め戻されるが第二可動体はハウジングから引き出された状態、つまり、前記中間引き出し状態に復帰させることができ、第一可動体および第二可動体の移動を規則的に行わせることができる。
【００１４】
すなわち、前記完全収納状態からの第二可動体の引き出し操作によって、この完全収納状態、中間引き出し状態、最終引き出し状態の順に移行し、また、この最終引き出し状態からの第二可動体の押し込み操作によって、この最終引き出し状態、中間引き出し状態、完全収納状態の順に移行する。
【００１５】
すなわち、前記完全収納状態から前記中間引き出し状態まで第二可動体を引き出すことに伴って、この第二可動体の第二掛合部を第一可動体の第二被掛合部に掛合させ、この第二可動体を引き出しきった状態、つまり、前記中間引き出し状態を安定的に維持することができる。
【００１６】
次いで、この中間引き出し状態からさらに第二可動体を、前記連れ移動阻止手段の摩擦力又は掛合力より大きい力で引き出し操作することにより、第一可動体を引き出させることができると共に、この第一可動体の第一掛合部をハウジングの第一被掛合部に掛合させ、この第一可動体を引き出しきった状態、つまり、前記最終引き出し状態を安定的に維持することができる。
【００１７】
一方、第一掛合部と第一被掛合部との掛合の解除に必要となる押し込み力よりも、第二掛合部と第二被掛合部との掛合の解除に必要となる押し込み力の方が大きくなるようにしてあることから、前記完全引き出し状態から第二可動体に押し込み力を作用させると、前記第二掛合部と第二被掛合部との掛合を解除させない状態で、第一掛合部と第一被掛合部との掛合を解除して、先ず、第一可動体のみをハウジングに押し込み、前記中間引き出し状態を作り出すことができる。
【００１８】
次いで、この中間引き出し状態からさらに第二可動体に押し込み力を作用させると、第二掛合部と第二被掛合部との掛合が解除され、第二可動体をハウジングに押し込みきられた第一可動体内に押し込ませることができ、これにより、前記完全収納状態への復帰がなされる。
【００１９】
また、請求項２記載の発明にあっては、請求項１記載の抽斗装置における第二掛合部が、第二可動体の移動方向に沿って配される弾性腕と、この弾性腕における第二可動体の前方に向けられた側に形成された掛合頭部とを備えて構成されていると共に、
第二被掛合部が、第二可動体の引き出しに伴なって第二掛合部を構成する掛合頭部に突き当たって弾性腕を側方に一旦弾性変形させると共に、第二可動体を引き出し切った位置でこの弾性腕の弾発を許容して前記掛合頭部に掛合される被掛合突部により構成してあることを特徴としている。
【００２０】
かかる構成によれば、前記弾性腕の剛性を調整するだけで、第一可動体の第一掛合部とハウジングの第一被掛合部との掛合を解除させる押し込み力よりも、第二可動体の第二掛合部と第一可動体の第二被掛合部との掛合を解除させる押し込み力を大きくさせるセッティングを的確になすことができる。
【００２１】
【発明の実施の形態】
以下、図１ないし図９に基づいて、この発明の典型的な実施の形態について説明する。
【００２２】
なお、ここで図１および図２は、抽斗装置の後述する完全収納状態を、図３および図４は、中間引き出し状態を、図５および図６は、完全引き出し状態を、それぞれ示している。また、図７は、かかる抽斗装置を前方側から見た状態で示している。また、図８は、後述するハウジング１と第一可動体２とを分離した状態でこれらの下面側から見た状態で示しており、また、図９は、この第一可動体２と第二可動体３とを分離した状態でこれらの上面側から見た状態で示している。
【００２３】
この実施の形態にかかる抽斗装置は、典型的には、自動車のインストルメントパネルＰや、センターコンソールなどの内方に納まった状態で取り付けられるハウジング１と、このハウジング１に対しこのハウジング１より横方向に引き出し可能に納められる第一可動体２と、この第一可動体２に対しこの第一可動体２より横方向に引き出し可能に納められる第二可動体３とを備えており、これらの可動体を必要に応じてハウジング１から、すなわち、インストルメントパネルＰ内などから引き出すことにより、引き出されたこれらの可動体２、３によって各種の物品などを自動車の室内において保持したり、引き出されたこれらの可動体２、３を再びインストルメントパネルＰ内などに押し込むことによってこれらの可動体２、３に保持させた各種の物品などをインストルメントパネルＰ内などに収納したりするように用いられるものである。
【００２４】
また、かかる装置にあっては、第二可動体３の引き出し操作によって、ハウジング１から第一可動体２が引き出されないようにした状態で、先ず、第二可動体３をハウジング１に納められている第一可動体２から引き出せると共に、このように第二可動体３を引き出し切った後さらに第二可動体３の引き出し操作をなすことにより、ハウジング１から第一可動体２を引き出せるようになっている。それと共に、このようにハウジング１から第一可動体２が引き出し切られ、さらに、この第一可動体２から第二可動体３が引き出し切られた状態から、第二可動体３を押し込み操作することにより、先ず、第一可動体２をハウジング１に納め戻せることができ、この後さらにこの押し込み操作をなすことにより、第二可動体３を第一可動体２内に、つまり、ハウジング１内に納め戻せるようになっている。
【００２５】
すなわち、かかる装置にあっては、ハウジング１、すなわち、このハウジング１が納められるインストルメントパネルＰ内などから最終的に引き出される抽斗体（つまり、第一可動体２と第二可動体３）の突き出し量を大きく確保しながら、この抽斗体の押し込み収納時の寸法をハウジング１内において第一可動体２内に第二可動体３を納めることにより小さくすることができる。この結果、かかる装置にあっては、最終的に引き出される抽斗体の突き出し量を大きく確保しながらこれを納めるハウジング１をコンパクトに構成することができ、インストルメントパネルＰ内などにおけるかかるハウジング１を納めて取り付けるために必要となる空間をできるだけ減少させることができる。
【００２６】
また、かかる装置にあっては、第一可動体２と第二可動体３とが共にハウジング１に収納された状態（以下、完全収納状態という。）からの最初の引き出し操作によって第一可動体２がハウジング１から引き出されず、かつ、第二可動体３がハウジング１から引き出された状態（以下、中間引き出し状態という。）にすることができると共に、ハウジング１から第二可動体３が引き出されさらにハウジング１から第一可動体２が引き出された状態（以下、最終引き出し状態という。）からの最初の押し込み操作によって第一可動体２はハウジング１に納め戻されるが第二可動体３はハウジング１から引き出された状態、つまり、前記中間引き出し状態に復帰させることができ、第一可動体２および第二可動体３の移動を規則的に行わせることができる。
【００２７】
すなわち、前記完全収納状態からの第二可動体３の引き出し操作によって、この完全収納状態、中間引き出し状態、最終引き出し状態の順に移行し、また、この最終引き出し状態からの第二可動体３の押し込み操作によって、この最終引き出し状態、中間引き出し状態、完全収納状態の順に移行する。
【００２８】
図示の例では、かかる第二可動体３が、第二可動体３の移動方向において間隔を開けて二以上の収納部３０、３０…を有していると共に、
前記中間引き出し状態において前記複数の収納部３０、３０…のうちの一部がハウジング１の上面の前端よりも前方に位置されるようにしてある。
【００２９】
これにより、図示の例では、前記中間引き出し状態において、ハウジング１の上面の前端よりも前方に位置される第二可動体３の複数の収納部３０、３０…の一部のみを各種物品などの収納保持の用に供させることができる。
【００３０】
また、前記最終引き出し状態において、ハウジング１の上面の前端よりも前方に位置される第二可動体３の複数の収納部３０、３０…の全てを位置させて、これら収納部３０の全てを各種物品などの収納保持の用に供させることができる。
【００３１】
すなわち、図示の例では、収納保持させる物品の種類、量などに応じて、前記中間引き出し状態と最終引き出し状態とを選択することができる。
【００３２】
具体的には、図示の例にあっては、第二可動体３が二つの収納部３０、３０を有していると共に、この二つの収納部３０、３０のうち、前記中間引き出し状態においてハウジング１の上面の前端よりも前方に位置される収納部３０がアッシュトレイを取り外し可能に納める収納部３０’となり、残りの収納部３０がカップホルダーを構成する収納部３０”となっている。
【００３３】
これにより、図示の例では、前記中間引き出し状態においては、アッシュトレイのみを使用するようにすることができる。
【００３４】
また、前記最終引き出し状態においては、アッシュトレイとカップホルダーの双方を使用することができる。また、カップホルダーとなる収納部３０よりもアッシュトレイを取り外し可能に納める収納部３０の方が前方に位置されることから、この最終引き出し状態において、カップホルダーに起立状態に保持させた飲料容器などがアッシュトレイの使用の邪魔になることがない。
【００３５】
（ハウジング１の基本構成）
具体的には、ハウジング１は、ほぼ方形状をなす上板１０と、この上板１０の向き合った両辺部に沿ってこの辺部においてそれぞれ下方に向けて一体に突き出す側板１１と、この側板１１の設けられた両辺部間にある一方の辺部に沿ってこの辺部から下方に向けて一体に突き出す背板１２とを備えている。
【００３６】
すなわち、かかるハウジング１は、下面を開放させると共に、背板１２と反対の側において側方に開放されている。また、このハウジング１におけるこのように側方に開放した側方開放部１３側には、前記一対の側板１１、１１の下端間に亙って補強板１４が架設されている。
【００３７】
そして、かかるハウジング１は、前記側方開放部１３をインストルメントパネルＰなどに形成された開放部Ｐａに連通させるようにして、このインストルメントパネルＰなどの内部に組み込まれるようになっている。
【００３８】
前記第一可動体２は、このように構成されたハウジング１内に、前記側方開放部１３から横方向に引き出し可能に納められる。
【００３９】
（第一可動体２の基本構成）
第一可動体２は、ほぼ方形状なす上板２０と、この上板２０の向き合った両辺部に沿ってこの辺部においてそれぞれ下方に向けて一体に突き出す側板２１とを有している。また、このように設けられる一対の側板２１、２１の下端間には、補強板２２が架設されている。また、図示の例にあっては、一対の側板２１、２１の側部の一方は、この側板２１が形成されている上板２０の辺部間にある上板２０の辺部よりも側方に突き出しており、この側板２１の突き出している側の上板２０の辺部が第一可動体２の前端となるようになっている。
【００４０】
そして、かかる第一可動体２の一対の側板２１、２１の外面間の寸法が、前記ハウジング１の一対の側板１１、１１の内面間の寸法とほぼ等しいか、やや小さくなるようにしてある。また、かかる第一可動体２の上板２０の外面と補強板２２の外面間の寸法が、前記ハウジング１の上板１０の内面と補強板１４の内面間の寸法とほぼ等しいか、やや、小さくなるようにしてある。
【００４１】
これにより、第一可動体２は、その上板２０の外面をハウジング１の上板１０の内面に向き合わせ、かつ、その側板２１の外面をハウジング１の側板１１の内面に向き合わせた状態で、ハウジング１の前記側方開放部１３から横方向に引き出し可能にこのハウジング１内に納められる。
【００４２】
また、前記第二可動体３は、このように構成された第一可動体２内に、前記前端側から前方に向けて引き出し可能に納められる。
【００４３】
（第二可動体３の基本構成）
第二可動体３は、第一可動体２の一対の側板２１、２１間の寸法とほぼ等しいか、やや小さい幅と、この第一可動体２の上板２０の内面と補強板２２の内面との間の寸法とほぼ等しいか、やや小さい厚さを備えるように構成されている。
【００４４】
また、かかる第二可動体３は、その移動方向に沿った側の寸法を、第一可動体２の側板２１の寸法とほぼ等しくしている。
【００４５】
そして、かかる第二可動体３は、その前端側に、下方に向けて窪んだ収納部３０を有している。この収納部３０は、第二可動体３の幅方向に沿った向きにおいて長くなるように形成されている。そしてまた、図示の例にあっては、このように構成される収納部３０に、上方から蓋付きのアッシュトレイ（図示は省略する。）が取り外し可能に納められるようになっている。
【００４６】
また、かかる第二可動体３の前端には、前板３１が一体に設けられている。この前板３１は、ハウジング１の側方開放部１３を覆う大きさを備えている。また、この前板３１の前面には、指掛け凹部３２が形成されており、この指掛け凹部３２を利用して引き出し操作ができるようになっている。すなわち、図示の例では、この指掛け凹部３２が引き出し操作部として機能するものとなっている。
【００４７】
また、第二可動体３の前記アッシュトレイを納める収納部３０と、この第二可動体３の後端との間には、左右にそれぞれ貫通穴３３が形成されており、この貫通穴３３に上方から飲料容器を入れ込むことによりこの貫通穴３３によって飲料容器を起立状態に保持するようになっている。すなわち、図示の例では、この貫通穴３３がカップホルダーを構成する収納部３０”として機能するものとなっている。図中符号３４で示されるのは、この貫通穴３３に入れ込まれた飲料容器の底部を下方から支える支持体であり、また、図中符号３５で示されるのは、常時上方への付勢力の作用を受けた状態で横向きに配されると共に、貫通穴３３への飲料容器の入れ込みにあたってこの付勢に抗して下方に押し込まれてその表面を飲料容器の側部に押し当てる舌片体である。
【００４８】
（ハウジング１と第一可動体２との連係）
第一可動体２は、この第一可動体２をハウジング１から引き出し切った位置においてハウジング１の第一被掛合部１５に掛合する第一掛合部２３を備えている。
【００４９】
図示の例にあっては、第一可動体２の第一掛合部２３は、第一可動体２の上板２０の後端側において、この上板２０の外面から張り出す張り出し部２３ａとして構成されている。
【００５０】
図示の例では、この張り出し部２３ａは、第一可動体２の左右にそれぞれ設けられている。
【００５１】
また、各張り出し部２３ａ、２３ａは、いずれも、第一可動体２の移動方向に沿った一対の割溝２３ｂ、２３ｂによって区分された弾性片２３ｃの長さ方向ほぼ中程の位置に形成されている。
【００５２】
また、各張り出し部２３ａ、２３ａは、いずれも、第一可動体２の前端側に向けられた面および第一可動体２の後端側に向けられた面を、この張り出し部２３ａの頂部に向けて次第に高まる湾曲面２３ｄとしている。
【００５３】
一方、図示の例にあっては、ハウジング１の第一被掛合部１５は、このハウジング１から第一可動体２を引き出し切った位置で、前記張り出し部２３ａを下方から入り込ませるように、このハウジング１の上板１０の前端側に形成された窓穴１５ａとして構成されている。
【００５４】
この窓穴１５ａも、第一可動体２の張り出し部２３ａが左右にそれぞれ設けられていることに対応して、ハウジング１の左右にそれぞれ設けられている。
【００５５】
また、かかる第一掛合部２３と第一被掛合部１５との前記掛合は、第一可動体２に作用される押し込み力により解除されるようになっている。
【００５６】
すなわち、第一可動体２がハウジング１内から引き出されていない状態から、この第一可動体２に、後述する連れ移動阻止手段１６、２４による摩擦力又は掛合力を越える引き出し力が先に引き出されている第二可動体３側から作用されると、前記張り出し部２３ａは、第一可動体２の前端側に湾曲面２３ｄを備えていることから、後述する連れ移動阻止手段１６を構成する窓穴１６ａから前記弾性片２３ｃを下方に撓めながら抜け出し、第一可動体２は引き出し方向に移動を開始する。そして、図示の例では、このように抜け出た張り出し部２３ａは、第一可動体２が引き出し切られるまでの間は、前記弾性片２３ｃを下方に撓めながらハウジング１の上板の内面に押し付けられるようになっている。第一可動体２が引き出しきられると、前記第一被掛合部１５となる窓穴１５ａの下方に張り出し部２３ａが位置され、前記のように撓められていた弾性片２３ｃの弾発により張り出し部２３ａはこの窓穴１５ａに入り込み、第一掛合部２３と第一被掛合部１５とが掛合され、第一可動体２の引き出し切られた状態が維持される。
【００５７】
このように第一可動体２が引き出し切られた状態から第二可動体３側からこの第一可動体２に押し込み力が作用されると、前記張り出し部２３ａは、第一可動体２の後端側に向けられた湾曲面２３ｄを備えていることから、前記第一被掛合部１５となる窓穴１５ａから前記弾性片２３ｃを下方に撓めながら抜け出し、第一可動体２を元の位置まで押し込みハウジング１に対し再び収納することができる。
【００５８】
ここで、この第一掛合部２３と第一被掛合部１５との掛合の解除に必要となる押し込み力よりも、後述する第二掛合部３６と第二被掛合部２５との掛合の解除に必要となる押し込み力の方が大きくなるようにしてある。
【００５９】
この結果、前記完全引き出し状態から第二可動体３に押し込み力を作用させると、（具体的には、この第二可動体３の前記前板３１を押すと）後述する第二掛合部３６と第二被掛合部２５との掛合を解除させない状態で、第一掛合部２３と第一被掛合部１５との掛合を解除して、先ず、第一可動体２のみをハウジング１に押し込み、前記中間引き出し状態を作り出すことができる。第二可動体３は、この中間引き出し状態からさらに第二可動体３に押し込み力を作用させることによる後述する第二掛合部３６と第二被掛合部２５との掛合の解除によって、ハウジング１に押し込みきられた第一可動体２内に押し込まれ、これにより、前記完全収納状態への復帰がなされる。
【００６０】
また、図示の例では、ハウジング１及び第一可動体２の双方に、前記引き出し操作部を通じた引き出し操作により第二可動体３が引き出し切られるまでの間においてハウジング１からの第一可動体２の引き出しを阻止する大きさの摩擦力又は掛合力をハウジング１と第一可動体２との間に作用させる連れ移動阻止手段１６、２４が備えられている。
【００６１】
図示の例では、ハウジング１側の連れ移動阻止手段１６は、
（１）ハウジング１の上板１０の後端側に形成されて、第一可動体２の第一掛合部２３となる前記張り出し部２３ａを、この第一可動体２をハウジング１内に押し込み切った位置で下方から入り込ませる窓穴１６ａと、
（２）ハウジング１の側板１１の後端側に形成されて、第一可動体２の側板２１にこの側板２１の外面から突き出すように形成された弾性突出体２４ａを、この第一可動体２をハウジング１内に押し込み切った位置で内方から入り込ませる側部窓穴１６ｂとから構成されている。
【００６２】
したがってまた、図示の例では、第一可動体２側の連れ移動阻止手段２４は、前記張り出し部２３ａと、前記弾性突出体２４ａとにより構成されている。
【００６３】
（第一可動体２と第二可動体３との連係）
第二可動体３は、この第二可動体３を第一可動体２から引き出し切った位置において第一可動体２の第二被掛合部２５に掛合する第二掛合部３６を備えている。
【００６４】
図示の例では、この第二可動体３の第二掛合部３６は、この第二可動体３の上面であって、前記貫通穴３３とこの第二可動体３の後端との間に設けられている。
【００６５】
また、図示の例では、この第二掛合部３６は、第二可動体３の左右にそれぞれ設けられている。
【００６６】
また、図示の例では、この第二可動体３の第二掛合部３６は、第二可動体３の移動方向に沿って配される弾性腕３６ａと、この弾性腕３６ａにおける第二可動体３の前方に向けられた側に形成された掛合頭部３６ｂとを備えた構成としてある。
【００６７】
具体的には、かかる第二掛合部３６は、
（１）第二可動体３の上面への取付板３６ｅに対し、
（２）この取付板３６ｅの左右側部においてそれぞれ、この側部に一端を一体に連接させた状態で、第二可動体３の前端に向けて突き出す前記弾性腕３６ａを設けると共に、
（３）この弾性腕３６ａの他端に、他方の弾性腕３６ａの側に向けて突き出す前記掛合頭部３６ｂを設けることにより構成されている。
【００６８】
弾性腕３６ａは、第二可動体３の上面に固定されおらず、後述する第二被掛合部２５となる被掛合突部２５ａへの突き当たりにより、前記取付板３６ｅとの連接側を中心として側方に弾性変形できるようになっている。
【００６９】
また、掛合頭部３６ｂは、それぞれ、
（１）頂部を有すると共に、
（２）この頂部を挟んだ第二可動体３の前端側に向けられた側に、弾性腕３６ａの先端から頂部に向けて次第に他方の弾性腕３６ａの側に近付く向きに傾斜された傾斜縁３６ｃを有しており、
（３）さらに、この頂部を挟んだ第二可動体３の後端側に向けられた側に、第二可動体３の幅方向に沿った掛合縁３６ｄを有している。
【００７０】
一方、図示の例では、第一可動体２の第二被掛合部２５は、第一可動体２の上板２０の内面であって、この上板２０の前端部に形成されている。
【００７１】
この第二被掛合部２５は、第二可動体３の第二掛合部３６がこの第二可動体３の左右に形成されていることに対応して、第一可動体２の左右にそれぞれ設けられている。
【００７２】
図示の例では、かかる第二被掛合部２５は、第二可動体３の引き出しに伴なって第二掛合部３６を構成する掛合頭部３６ｂに突き当たって弾性腕３６ａを側方に一旦弾性変形させると共に、第二可動体３を引き出し切った位置でこの弾性腕３６ａの弾発を許容して前記掛合頭部３６ｂに掛合される被掛合突部２５ａにより構成してある。
【００７３】
具体的には、かかる第二被掛合部２５を構成する被掛合突部２５ａは、第一可動体２の上板２０をその内面側から見た状態において、
（１）この第一可動体２の前端側を向いた掛合面２５ｂを有すると共に、
（２）この掛合面２５ｂと、第一可動体２の後端側に向けられた末端部との間にある両側面をそれぞれ、この末端部から掛合面２５ｂの側に向かうに連れて次第に被掛合突部２５ａの左右方向の幅を大きくするように傾斜した傾斜面２５ｃとしている。
【００７４】
これにより、図示の例にあっては、前記完全収納状態から前記中間引き出し状態まで第二可動体３を引き出すことに伴って、前記被掛合突部２５ａに前記掛合頭部３６ｂを突き当てることにより前記弾性腕３６ａを側方に一旦弾性変形させることができると共に、前記中間引き出し状態となる第二可動体３を引き出し切った位置での弾性腕３６ａの弾発により、前記掛合頭部３６ｂを被掛合突部２５ａに掛合させ、これにより、第二可動体３を引き出しきった状態、つまり、前記中間引き出し状態を安定的に維持することができる。
【００７５】
また、この中間引き出し状態からさらに第二可動体３を、前記連れ移動阻止手段の摩擦力又は掛合力より大きい力で引き出し操作することにより、第一可動体２を引き出させて、前記最終引き出し状態を作り出すことができる。
【００７６】
また、前記最終引き出し状態から第二可動体３に、第一可動体２の第一掛合部２３とハウジング１の第一被掛合部１５との掛合を解除させる大きさの押し込み力を作用させている状態では、第二可動体３の第二掛合部３６と第一可動体２の第二被掛合部２５との掛合が解除されないようにすることができる。これにより、前記最終引き出し状態から第二可動体３を押し込み操作した場合に、先ず、第一可動体２をハウジング１内に押し込むことができる。そして、このように第一可動体２がハウジング１内に押し込まれて前記中間引き出し状態となった後に、さらに第二可動体３に押し込み力を作用させることにより、第二可動体３の第二掛合部３６と第一可動体２の第二被掛合部２５との掛合を解いて、第二可動体３を第一可動体２内、つまり、ハウジング１内に押し込み、前記完全収納状態に戻すことができる。
【００７７】
第二掛合部３６を前記のような弾性腕３６ａと掛合頭部３６ｂとにより構成しておけば、この弾性腕３６ａの剛性を調整するだけで、第一可動体２の第一掛合部２３とハウジング１の第一被掛合部１５との掛合を解除させる押し込み力よりも、第二可動体３の第二掛合部３６と第一可動体２の第二被掛合部２５との掛合を解除させる押し込み力を大きくさせるセッティングを的確になすことができる。
【００７８】
図示の例では、第二可動体３の引き出し操作に伴って、第二可動体３の第二掛合部３６を構成する一対の弾性腕３６ａ、３６ａの一方に形成された掛合頭部３６ｂは、第一可動体２の第二被掛合部２５を構成する被掛合突部２５ａの一方の傾斜面２５ｃにその傾斜縁３６ｃを突き当ててスムースに側方に弾性変形され、また、第二可動体３の第二掛合部３６を構成する一対の弾性腕３６ａ、３６ａの他方に形成された掛合頭部３６ｂは、第一可動体２の第二被掛合部２５を構成する被掛合突部２５ａの他方の傾斜面２５ｃにその傾斜縁３６ｃを突き当ててスムースに側方に弾性変形され、
この後、両弾性腕３６ａ共に、その掛合頭部３６ｂの頂部が被掛合突部２５ａにおける掛合面２５ｂと傾斜面２５ｃとの間の隅部を乗り越えた位置で弾発して、その掛合縁３６ｄを掛合面２５ｂに掛合させる。
【００７９】
これにより、図示の例では、第二可動体３の第二掛合部３６と第一可動体２の第二被掛合部２５との掛合がなされる過程で、つまり、第二可動体３の第二掛合部３６を構成する弾性腕３６ａに形成された掛合頭部３６ｂが第一可動体２の第二被掛合部２５を構成する被掛合突部２５ａに突き当たってはいるがその掛合が済んでいない段階で、第一可動体２が前記連れ移動阻止手段１６、２４による摩擦力又は掛合力以上の力を作用されて引き出されてしまうことがないようになっている。
【００８０】
一方、掛合頭部３６ｂの頂部が被掛合突部２５ａにおける掛合面２５ｂと傾斜面２５ｃとの間の隅部を乗り越え、その掛合縁３６ｄを掛合面２５ｂに掛合させた状態では、第二可動体３に押し込み力を作用させても弾性腕３６ａはこの掛合を解く向きに側方に弾性変形し難い。
【００８１】
これにより、図示の例では、前記最終引き出し状態から第二可動体３を押し込み操作した場合に、第一可動体２の第一掛合部２３とハウジング１の第一被掛合部１５との掛合が解かれる前に、第二可動体３の第二掛合部３６と第一可動体２の第二被掛合部２５との掛合が解かれてしまわないようになっている。
【００８２】
【発明の効果】
この発明にかかる抽斗装置によれば、第一可動体と第二可動体とが共にハウジングに収納された状態からの最初の引き出し操作によって第一可動体がハウジングから引き出されず、かつ、第二可動体がハウジングから引き出された状態にすることができると共に、ハウジングから第二可動体が引き出されさらにハウジングから第一可動体が引き出された状態からの最初の押し込み操作によって第一可動体はハウジングに納め戻されるが第二可動体はハウジングから引き出された状態に戻すことができ、第二可動体に対してなされる単純な引き出し操作、あるいは、押し込み操作によって、この第一可動体および第二可動体の移動を規則的に行わせることができる。
【図面の簡単な説明】
【図１】抽斗装置の側面図（完全収納状態）
【図２】同平面図（完全収納状態）
【図３】同側面図（中間引き出し状態）
【図４】同平面図（中間引き出し状態）
【図５】同側面図（完全引き出し状態）
【図６】同平面図（完全引き出し状態）
【図７】同正面図
【図８】ハウジング１と第一可動体２との分離斜視構成図
【図９】第一可動体２と第二可動体３との分離斜視構成図（支持体３４および舌片体３５省略）
【符号の説明】
１  ハウジング
１５  第一被掛合部
１６  連れ移動阻止手段
２  第一可動体
２３  第一掛合部
２４  連れ移動阻止手段
２５  第二被掛合部
３  第二可動体
３６  第二掛合部
【図１】
0003946085.tif 000002
【図２】
0003946085.tif 000003
【図３】
0003946085.tif 000004
【図４】
0003946085.tif 000005
【図５】
0003946085.tif 000006
【図６】
0003946085.tif 000007
【図７】
0003946085.tif 000008
【図８】
0003946085.tif 000009
【図９】
0003946085.tif 000010